(57)【要約】【課題】浴槽のフランジ部に設けた水返し片の熱膨張を吸収することができる浴槽の水返し構造を提供する。【解決手段】浴槽１のフランジ部１１の端縁に合成樹脂製の水返し片２を取り付けてなる浴槽の水返し構造であって、浴槽１のフランジ部１１の端縁の隣接する二辺が交わる角部に、前記二辺の中間部にそれぞれ設けられる水返し片中間部３の端部３ａ間に配置されて該水返し片中間部３の熱膨張を吸収する熱膨張吸収部５を設けた。【選択図】図１
2008206598.tif 000002
【特許請求の範囲】
【請求項１】
浴槽のフランジ部の端縁に合成樹脂製の水返し片を取り付けてなる浴槽の水返し構造であって、浴槽のフランジ部の端縁の隣接する二辺が交わる角部に、前記二辺の中間部にそれぞれ設けられる水返し片中間部の端部間に配置されて該水返し片中間部の熱膨張を吸収する熱膨張吸収部を設けて成ることを特徴とする浴槽の水返し構造。
【請求項２】
両水返し片中間部の端部に熱膨張吸収部としてのコーナー部材を接続するものであって、コーナー部材は、両水返し片中間部の端部をスリットを介して突き合わせた状態で該端部に嵌め込まれる嵌め込み部を備えて成ることを特徴とする請求項１記載の浴槽の水返し構造。
【請求項３】
両水返し片中間部の端部に熱膨張吸収部を有するコーナー部材を接続固定するものであって、コーナー部材は、両水返し片中間部の端部にそれぞれ接続される硬質樹脂からなる接続部と、両接続部の端部に両端部がそれぞれ接続される軟質樹脂からなる伸縮部とで構成されて成ることを特徴とする請求項１記載の浴槽の水返し構造。
【請求項４】
硬質樹脂からなる接続部と軟質樹脂からなる伸縮部とを二色成形にて形成して成ることを特徴とする請求項３記載の浴槽の水返し構造。
【請求項５】
水返し片の下端部に、浴槽のフランジ部の端縁から垂下される垂下片の下端部に係合する係合部を設けて成ることを特徴とする請求項１乃至請求項４のいずれか一項に記載の浴槽の水返し構造。
【請求項６】
水返し片又は／及びコーナー部材を、線膨張を吸収する軟質の接着剤を介して浴槽のフランジ部の上面に接着して成ることを特徴とする請求項１乃至請求項５のいずれか一項に記載の浴槽の水返し構造。
【発明の詳細な説明】
【技術分野】
【０００１】
本発明は、浴槽のフランジ部の端縁に合成樹脂製の水返し片を取り付けてなる浴槽の水返し構造に関するものである。
【背景技術】
【０００２】
従来より、浴槽に水返し片を取り付けて水返し構造を構成するものが知られている（例えば特許文献１参照）。これは、例えば浴室の浴槽側に床パンを設置しない場合、フランジ部の端縁に例えば断面略Ｌ字状をした水返し構造を設けて、浴槽のフランジ部の端縁から浴室壁の方へと水が進入して浴槽側の床下地が濡れないようにしたものである。
【０００３】
水返し構造を設けるにあたっては、特許文献１に記載されているもののように浴槽から一体に形成してもよいが、断面略Ｌ字状をした金具を浴槽のフランジ部の上面にビスにて固定することで、浴槽の方を特に変更しなくても水返し構造を容易に設けることができるものであった。
【０００４】
このように断面略Ｌ字状をした金具を浴槽のフランジ部の上面にビスにより固定する場合、多数のビスにて固定する必要があって作業の工数がかかるという問題があった。    
【特許文献１】特開平１１−１７２７３４号公報
【発明の開示】
【発明が解決しようとする課題】
【０００５】
そこで、上述したように断面略Ｌ字状をした金具の代わりに合成樹脂製の水返し片を接着等により設ける水返し構造が考えられた。これは、浴槽のフランジ部の端縁の辺の中間部に水返し片中間部を設けると共に、浴槽のフランジ部の端縁の隣接する辺が交わる角部にコーナー部を設けて、両水返し片中間部の端部とコーナー部とを接続固定するものであった。
【０００６】
しかしながらこの場合、水返し片中間部はそれぞれ熱膨張により長手方向に膨張するため、両水返し片中間部の端部がコーナー部によって固定されていて、熱膨張を吸収できないものであった。
【０００７】
本発明は上記の点に鑑みてなされたものであり、その目的とするところは、浴槽のフランジ部に設けた水返し片の熱膨張を吸収することができる浴槽の水返し構造を提供することを課題とするものである。
【課題を解決するための手段】
【０００８】
上記課題を解決するために請求項１に係る発明にあっては、浴槽１のフランジ部１１の端縁に合成樹脂製の水返し片２を取り付けてなる浴槽の水返し構造であって、浴槽１のフランジ部１１の端縁の隣接する二辺が交わる角部に、前記二辺の中間部にそれぞれ設けられる水返し片中間部３の端部３ａ間に配置されて該水返し片中間部３の熱膨張を吸収する熱膨張吸収部５を設けて成ることを特徴とするものである。
【０００９】
このような構成とすることで、各水返し片中間部３の熱膨張が熱膨張吸収部５にて吸収することが可能となる。
【００１０】
また、請求項２に係る発明にあっては、請求項１に係る発明において、両水返し片中間部３の端部３ａに熱膨張吸収部５としてのコーナー部材４を接続するものであって、コーナー部材４は、両水返し片中間部３の端部３ａをスリットＳを介して突き合わせた状態で該端部３ａに嵌め込まれる嵌め込み部４３を備えて成ることを特徴とするものである。
【００１１】
このような構成とすることで、別部材のコーナー部材４をスリットＳを介してそれぞれの端部３ａを突き合わせた両水返し片中間部３に嵌め込むだけで水返し構造を構成することができる。
【００１２】
また、請求項３に係る発明にあっては、請求項１に係る発明において、両水返し片中間部３の端部３ａに熱膨張吸収部５を有するコーナー部材４を接続固定するものであって、コーナー部材４は、両水返し片中間部３の端部３ａにそれぞれ接続される硬質樹脂からなる接続部４４と、両接続部４４の端部に両端部がそれぞれ接続される軟質樹脂からなる伸縮部４５とで構成されて成ることを特徴とするものである。
【００１３】
このような構成とすることで、水返し片中間部３とコーナー部材４とを一体に形成することができる。
【００１４】
また、請求項４に係る発明にあっては、請求項３に係る発明において、硬質樹脂からなる接続部４４と軟質樹脂からなる伸縮部４５とを二色成形にて形成することで、容易に形成することができる。
【００１５】
また、請求項５に係る発明にあっては、請求項１乃至請求項４に係る発明において、水返し片２の下端部に、浴槽１のフランジ部１１の端縁から垂下される垂下片１２の下端部に係合する係合部３３を設けて成ることを特徴とするものである。
【００１６】
このような構成とすることで、水返し片２を浴槽１の垂下片１２に係合させて強固に取り付けることが可能となる。
【００１７】
また、請求項６に係る発明にあっては、請求項１乃至請求項５に係る発明において、水返し片２又は／及びコーナー部材４を、線膨張を吸収する軟質の接着剤を介して浴槽１のフランジ部１１の上面に接着して成ることを特徴とするものである。
【００１８】
このような構成とすることで、水返し片２又は／及びコーナー部材４と浴槽１のフランジ部１１との熱膨張差を吸収することができる。
【発明の効果】
【００１９】
本発明にあっては、水返し片中間部が熱膨張した際にこれらの熱膨張を逃がして吸収することができて、両水返し片中間部を固定した場合のように熱膨張を逃がされずに破損してしまう、といったことがない。
【発明を実施するための最良の形態】
【００２０】
以下、本発明を添付図面に示す実施形態に基いて説明する。図３は本発明の一実施形態の浴槽の水返し構造が採られる浴室を示し、洗い場側には床パンを配置するが浴槽１側には床パンを配置しない所謂床ハーフ方式といわれる浴室ユニットの例が示してある。
【００２１】
図３に示す浴室ユニットは、洗い場床パン６１と、支持枠６２と、支持枠６２に載設支持される浴槽１と、エプロン１３と、洗い場床パン６１の三辺の外端部及び浴槽１の三辺の外端部に立設する壁パネル７と及びドア枠（図示せず）と、天井パネル（図示せず）とで構成してある。
【００２２】
支持枠６２は少なくとも浴槽設置部６３を備えており、この支持枠６２上に洗い場床パン６１を一体に設けてもよく、あるいは、洗い場床パン６１と支持枠６２とは分離してあってもよい。
【００２３】
支持枠６２や洗い場床パン６１の下面部には高さ調整機能を備えた脚部６４が設けてあり、更に、支持枠６２の上面部の隅部（図においては四隅部）に支柱６５が立設してあり、支柱６５には係止部６６が設けてある。
【００２４】
以下に、浴槽の水返し構造について説明する。水返し構造は、浴槽１のフランジ部１１の端縁に合成樹脂製の水返し片２を取り付けて、浴槽１のフランジ部１１の端縁から浴室壁の方へ水が進入し、浴槽１側の床下地が濡れないようにするものである。浴槽１のフランジ部１１は、浴槽１の上端から外側方に略水平に連設されるもので、フランジ部１１の外端縁から垂下片１２が垂下しており、フランジ部１１の上面の垂下片１２が垂下される外端縁の部分に水返し片２が取り付けられる。
【００２５】
水返し片２は、図１、図２に示す実施形態では、浴槽１のフランジ部１１の端縁の辺の中間部に設けられる水返し片中間部３と、浴槽１のフランジ部１１の端縁の二辺が交わる角部に設けられるコーナー部材４とで構成される。
【００２６】
水返し片中間部３は、下横片３１と、下横片３１の端縁から上方に連設される立設片３２とからなる断面略Ｌ字状をしたものである。なお本実施形態では、縦片３２の下端部は下横片３１よりも下側に若干突出している。この水返し片中間部３は浴槽１のフランジ部１１の端縁の辺の中間部（すなわち角部を除く部分）の上面に伸縮性を有する軟質の接着剤等により貼り付けて設けられ、本実施形態では縦片３２の突出している下端部が浴槽１の垂下片１２に当接して位置決めされている。そして、水返し片中間部３の端部３ａにはコーナー部材４が設けられる。
【００２７】
コーナー部材４は、浴槽１のフランジ部１１の端縁の二辺が交わる角部に設けられて、浴槽１のフランジ部１１の端縁の各辺の中間部に設けられる上記水返し片中間部３の端部３ａの間に配置されて、前記水返し片中間部３の熱膨張を吸収する熱膨張吸収部５を備えたものである。このコーナー部材４と水返し片中間部３との接続は、嵌め込み、伸縮性を有する軟質の接着剤による接着、等が挙げられ、図１、図２に示す実施形態では、嵌め込みにより行うものである。本実施形態では、水返し片中間部３の突き合わせ端部３ａは図に示すように外側の方が内側よりも長くなるように長手方向に対して４５度の角度で傾斜していて、両方の水返し片中間部３を突き合わせた状態で平面視略Ｌ字状をなすようになっている。そしてコーナー部材４は、両方の水返し片中間部３の突き合わせ端部３ａを若干の隙間（スリットＳ）を介して突き合わせた状態で該突き合わせ部分を覆うような平面視略Ｌ字状をしており、断面略Ｌ字状をした水返し片中間部３の立設片３２を上方から覆う下方に開口した略コ字状の縦覆い部４１と、水返し片中間部３の下横片３１の上面を覆う平板状の横覆い部４２とからなり、前記縦覆い部４１の下方に開口した略コ字状の内部が水返し片中間部３の立設片３２に嵌め込まれる嵌め込み部４３となっている。
【００２８】
本実施形態では、水返し片中間部３はＡＢＳ樹脂等の硬質樹脂で形成され、コーナー部材４はスチレン系エラストマー等の軟質樹脂で形成されて全体が熱膨張吸収部５となっており、このコーナー部材４を上方から両水返し片中間部３にスリットＳを介して嵌め込むだけで、水返し構造を設けることができる。コーナー部材４は上記水返し片中間部３と同様に浴槽１のフランジ部１１の上面に伸縮性を有する軟質の接着剤等により貼り付けられる。また、浴室パネルは、水返し片中間部３の下横片３１の上面に載置してもよく、この場合、水返し片中間部３の上面及び浴槽１のフランジ部１１の上面にパッキンＰを設け、このパッキンＰの上にコーナー部材４を載置する（図１参照）と共に浴室パネルを載置する（図２参照）  。
【００２９】
以上のような構成によれば、浴槽１のフランジ部１１の端縁の隣接する二辺に設けた水返し片中間部３は、スリットＳを介して突き合わせた状態でコーナー部材４にて嵌め込みによって接続されて伸縮可能となっているため、水返し片中間部３が熱膨張した際にこれらの熱膨張が吸収されて熱膨張を逃がすことができて、両水返し片中間部３を固定した場合のように熱膨張を逃がされずに破損してしまう、といったことがないものである。
【００３０】
また、水返し片２やコーナー部材４を、線膨張を吸収する軟質の接着剤により浴槽１のフランジ部１１の上面に貼り付けたことで、水返し片２やコーナー部材４と浴槽１のフランジ部１１との熱膨張差を吸収することができる。
【００３１】
次に、図４、図５に基づいて他の実施形態について説明する。本実施形態も図１、図２に示す実施形態と大部分において同じであり、主に異なる部分について説明する。
【００３２】
図４、図５に示す本実施形態では、水返し片中間部３の断面形状が異なっている。ここでは、水返し片中間部３は、下横片３１が上実施形態よりも幅が狭く、立設片３２の下側の突出部分が上実施形態よりも長く、浴槽１の垂下片１２の下端部と略同じ高さまで垂下されていると共に、垂下片１２の下端部に係合される上方向きの鉤状となった係合部３３が形成してある。本実施形態においても、浴室パネルは、水返し片中間部３の下横片３１の上面に載置してもよく、上実施形態と同様に、水返し片中間部３の上面及び浴槽１のフランジ部１１の上面にパッキンＰを設け、このパッキンＰの上にコーナー部材４を載置する（図４参照）と共に浴室パネルを載置する（図５参照）。
【００３３】
これにより、水返し片中間部３を浴槽１の垂下片１２に係合させて強固に取り付けることが可能となる。
【００３４】
また、図６に基づいて更に他の実施形態について説明する。コーナー部材４は、熱膨張吸収部５を有し、両水返し片中間部３の端部３ａに接続固定されるものであってもよい。コーナー部材４は、両水返し片中間部３の端部３ａにそれぞれ接続される例えばＡＢＳ等の硬質樹脂からなる接続部４４と、両接続部４４の端部に両端部がそれぞれ接続される例えばスチレン系エラストマー等の軟質樹脂からなる伸縮部４５とで構成される平面視略Ｌ字状をしたものである。本実施形態では硬質樹脂からなる接続部４４と軟質樹脂からなる伸縮部４５とを二色成形にて形成するものであって、これにより容易に形成することができる。
【００３５】
コーナー部材４の断面形状は、水返し片中間部３の断面形状と略同じに形成してあり、例えば上述した図１、図２に示す略Ｌ字状や図１、図２に示す形状をしている。水返し片中間部３は例えばＡＢＳ等の硬質樹脂からなり、水返し片中間部３の端部３ａとコーナー部材４の接続部４４の端部とを接着や溶着によって接続固定する。そして、コーナー部材４と水返し片中間部３の浴槽１への取り付けも上述したのと同様の軟質の接着剤にて行う。
【００３６】
本実施形態の構成によれば、水返し片中間部３とコーナー部材４とを一体に形成することができ、見栄えが良くなると共に、別部材のコーナー部材４を嵌め込む場合のように隙間から水が進入するといったことを確実に阻止することができる。
【図面の簡単な説明】
【００３７】
【図１】本発明の一実施形態の要部斜視図である。
【図２】同上の実施形態の壁パネルを載置する際の要部断面図である。
【図３】浴室の外観の斜視図である。
【図４】他の実施形態の要部斜視図である。
【図５】同上の実施形態の壁パネルを載置する際の要部断面図である。
【図６】更に他の実施形態の要部斜視図である。
【符号の説明】
【００３８】
１    浴槽
１１  フランジ部
２    水返し片
３    水返し片中間部
３ａ  端部
５    熱膨張吸収部
【図１】
2008206598.tif 000003
【図２】
2008206598.tif 000004
【図３】
2008206598.tif 000005
【図４】
2008206598.tif 000006
【図５】
2008206598.tif 000007
【図６】
2008206598.tif 000008